(57)【要約】【課題】複数の情報を比較的小さい表示エリアで分かり易く表示することに優れた表示装置を提供すること。【解決手段】ａ１個（ａ１：整数、１≦ａ１）のキャラクターを同時に表示可能な第１の表示ウィンドウとｂ１個（ｂ１：整数、１≦ｂ１）のキャラクターを同時に表示可能な第２の表示ウィンドウとの連続配置により形成された連続表示ウィンドウを含む表示手段の表示を制御する表示制御方法は、前記第１の表示ウィンドウに対してａ１個より多いａ２個（ａ２：整数）のキャラクターを表示する場合、前記連続表示ウィンドウによりａ２個のキャラクターを表示する。【選択図】図４
2010186139.tif 000002
【特許請求の範囲】
【請求項１】
ａ１個（ａ１：整数、１≦ａ１）のキャラクターを同時に表示可能な第１の表示ウィンドウとｂ１個（ｂ１：整数、１≦ｂ１）のキャラクターを同時に表示可能な第２の表示ウィンドウとの連続配置により形成された連続表示ウィンドウを含む表示手段と、
前記第１の表示ウィンドウに対してａ１個より多いａ２個（ａ２：整数）のキャラクターを表示する場合、前記連続表示ウィンドウによりａ２個のキャラクターを表示する表示制御手段と、
を備えたことを特徴とする表示装置。
【請求項２】
前記表示制御手段は、前記第１の表示ウィンドウに対してａ１個より多いａ２個（ａ２：整数）のキャラクターを表示する場合、前記第１の表示ウィンドウによりａ２個のキャラクターのうちの一部を表示してから、前記連続表示ウィンドウによりａ２個のキャラクターを表示することを特徴とする請求項１に記載の表示装置。
【請求項３】
前記表示制御手段は、ａ１個＋ｂ１個より多いａ２個のキャラクターを表示する場合、前記第１の表示ウィンドウによりａ２個のキャラクターのうちの一部を表示してから、前記連続表示ウィンドウによりａ２個のキャラクターをスクロールして表示する、
ことを特徴とする請求項１に記載の表示装置。
【請求項４】
前記表示制御手段は、ａ１個＋ｂ１個より多いａ２個のキャラクターにより構成される第１の情報、及びａ１個＋ｂ１個より多いｂ２個のキャラクターにより構成される第２の情報を表示する場合、前記連続表示ウィンドウにより前記第１の情報をスクロールして表示し、さらに前記連続表示ウィンドウにより前記第２の情報をスクロールして表示する、
ことを特徴とする請求項１に記載の表示装置。
【請求項５】
前記表示制御手段は、ａ１個＋ｂ１個より多いａ２個のキャラクターにより構成される第１の情報、及びａ１個＋ｂ１個より多いｂ２個のキャラクターにより構成される第２の情報を表示する場合、前記第１の表示ウィンドウにより前記第１の情報のうちの一部を表示し同時に前記第２の表示ウィンドウにより前記第２の情報のうちの一部を表示し、さらに前記連続表示ウィンドウにより前記第１の情報をスクロールして表示し、さらに前記連続表示ウィンドウにより前記第２の情報をスクロールして表示する、
ことを特徴とする請求項１に記載の表示装置。
【請求項６】
前記表示制御手段は、ａ１個＋ｂ１個より多いａ２個のキャラクターにより構成される第１の情報、及びａ１個＋ｂ１個より多いｂ２個のキャラクターにより構成される第２の情報を表示する場合、前記第１の表示ウィンドウにより前記第１の情報のうちの一部を表示し同時に前記第２の表示ウィンドウにより前記第２の情報のうちの一部を表示し、さらに前記連続表示ウィンドウにより前記第１の情報をスクロールして表示し、さらに前記連続表示ウィンドウにより前記第２の情報をスクロールして表示し、さらに前記第１の表示ウィンドウにより前記第１の情報のうちの一部を表示し同時に前記第２の表示ウィンドウにより前記第２の情報のうちの一部を表示した表示状態へ戻る
ことを特徴とする請求項１に記載の表示装置。
【請求項７】
ａ１個（ａ１：整数、１≦ａ１）のキャラクターを同時に表示可能な第１の表示ウィンドウとｂ１個（ｂ１：整数、１≦ｂ１）のキャラクターを同時に表示可能な第２の表示ウィンドウとの連続配置により形成された連続表示ウィンドウを含む表示手段の表示を制御する表示制御方法であって、
前記第１の表示ウィンドウに対してａ１個より多いａ２個（ａ２：整数）のキャラクターを表示する場合、前記連続表示ウィンドウによりａ２個のキャラクターを表示することを特徴とする表示制御方法。
【発明の詳細な説明】
【技術分野】
【０００１】
本発明は、比較的少ない表示エリアに多数の文字等のキャラクターを表示するために、キャラクターをスクロール表示することが可能な表示装置に関する。また、スクロール表示を制御するための表示制御方法に関する。
【背景技術】
【０００２】
近年、チューナー及びハードディスク等を内蔵したレコーダの普及が目覚しい。このようなレコーダは、地上デジタル放送などの番組をハードディスク等へ記録することができる。また、レコーダは表示部を備え、表示部は番組名等を表示することができる。
【０００３】
ところが、このようなレコーダの表示部は、レコーダの筐体の前面の一部に配置されるため、表示エリアは比較的狭い。そのため、番組名の全てを同時に表示できない場合がある。このように、表示部が、番組名の全てを同時に表示できない場合には、番組名をスクロールして表示することが考えられる。
【０００４】
さらに、表示すべき全文字数に応じてスクロール速度を変化させる技術も提案されている（特許文献１参照）。
【先行技術文献】
【特許文献】
【０００５】
【特許文献１】特開２００４−３４１０７４号公報
【発明の概要】
【発明が解決しようとする課題】
【０００６】
しかしながら、上記したようなレコーダは、番組名だけでなく、放送局名を表示したり、番組内容情報を表示したりする。つまり、表示すべき情報が複数ある。これら複数の表示すべき情報を単にスクロールしながら表示するだけでは、一体、いくつの情報が表示されているのか分かり難い。
【０００７】
本発明の目的は、複数の情報を比較的小さい表示エリアで分かり易く表示することに優れた表示装置及び表示制御方法を提供することにある。
【課題を解決するための手段】
【０００８】
本発明の一実施形態に係る表示装置は、ａ１個（ａ１：整数、１≦ａ１）のキャラクターを同時に表示可能な第１の表示ウィンドウとｂ１個（ｂ１：整数、１≦ｂ１）のキャラクターを同時に表示可能な第２の表示ウィンドウとの連続配置により形成された連続表示ウィンドウを含む表示手段と、前記第１の表示ウィンドウに対してａ１個より多いａ２個（ａ２：整数）のキャラクターを表示する場合、前記連続表示ウィンドウによりａ２個のキャラクターを表示する表示制御手段と、を備える。
【０００９】
本発明の一実施形態に係る表示制御方法は、ａ１個（ａ１：整数、１≦ａ１）のキャラクターを同時に表示可能な第１の表示ウィンドウとｂ１個（ｂ１：整数、１≦ｂ１）のキャラクターを同時に表示可能な第２の表示ウィンドウとの連続配置により形成された連続表示ウィンドウを含む表示手段の表示を制御する表示制御方法であって、前記第１の表示ウィンドウに対してａ１個より多いａ２個（ａ２：整数）のキャラクターを表示する場合、前記連続表示ウィンドウによりａ２個のキャラクターを表示する。
【発明の効果】
【００１０】
本発明によれば、複数の情報を比較的小さい表示エリアで分かり易く表示することに優れた表示装置及び表示制御方法を提供できる。
【図面の簡単な説明】
【００１１】
【図１】本発明の一実施形態に係る表示装置の概略構成を示す図である。
【図２】図１に示す表示装置を適用した映像記録再生装置の概略構成を示すブロック図である。
【図３】図２に示す映像記録再生装置の本体表示部の概要を説明するための図である。
【図４】表示制御の第１例を説明するための図である。
【図５】表示制御の第２例を説明するための図である。
【図６】表示制御の第３例を説明するための図である。
【図７】表示制御の流れを説明するためのフローチャートである。
【図８】表示時間設定の一例を示す図である。
【図９】表示制御モジュールの概略構成を示すブロック図である。
【発明を実施するための形態】
【００１２】
以下、図面を参照し、本発明の実施形態について説明する。
【００１３】
図１は、本発明の一実施形態に係る表示装置の概略構成を示す図であり、図２は、図１に示す表示装置を適用した映像記録再生装置の概略構成を示すブロック図である。
【００１４】
図１に示すように表示装置は、メイン制御モジュール５、表示制御モジュール４４、本体表示部３を備えている。メイン制御モジュール５は、本体表示部３により表示すべき表示データを表示制御モジュール４４へ送信する。表示制御モジュール４４は、表示データに基づき本体表示部３を制御する。これにより、本体表示部３は表示データに対応するキャラクター（文字列）を表示することができる。
【００１５】
また、図２に示すように、映像記録再生装置１００は、本体キー入力部１、本体表示部３、サブ制御モジュール４、メイン制御モジュール５、電源部６、データ蓄積部７、チューナー部８、光ディスクドライブ９、ＨＤＤ（ハードディスクドライブ）１０を備えている。
【００１６】
サブ制御モジュール４は、本体キー入力検出モジュール４１、リモートコントローラキー入力検出モジュール４２、電源制御モジュール４３、表示制御モジュール４４を備えている。また、メイン制御モジュール５は、記録処理モジュール５１、映像、音声処理モジュール５２、映像音声入出力制御モジュール５３を備えている。
【００１７】
例えば、図３に示すように、本体キー入力部１は、電源キー１１、予約キー１２、設定キー１３、取出しキー１４などが設けられている。ユーザは、本体キー入力部１に対する入力操作により、映像記録再生装置１００の動作を制御することができる。
【００１８】
電源キー１１は、映像記録再生装置１００の電源オン／オフを指示するためのキーである。電源キー１１が押下されると、電源キー１１の押下がサブ制御モジュール４の本体キー入力検出モジュール４１により検出され、サブ制御モジュール４の電源制御モジュール４３が電源部６に対して電源オン／オフの切り替えを通知する。電源部６は、電源オフ状態であれば電源をオンし、電源オン状態であれば電源をオフする。
【００１９】
予約キー１２は、映像記録再生装置１００の電源オン状態では録画予約モードの実行を指示し、映像記録再生装置１００の電源オフ状態では電源オンと録画予約モードの実行を指示する。予約キー１２は、録画予約モードの実行状態では録画予約モードの終了と電源オフとを指示する。
【００２０】
サブ制御モジュール４による電源オフ状態の検出中に、予約キー１２が押下されると、予約キー１２の押下がサブ制御モジュール４の本体キー入力検出モジュール４１により検出され、電源制御モジュール４３が電源部６に対して電源オンを通知し、電源部６は電源をオンし、さらに、サブ制御モジュール４は録画予約モードの実行をメイン制御モジュール５へ通知し、メイン制御モジュール５の記録処理モジュール５１は録画予約モードを実行する。
【００２１】
サブ制御モジュール４による録画予約モードの実行状態の検出中に、予約キー１２が押下されると、予約キー１２の押下がサブ制御モジュール４の本体キー入力検出モジュール４１により検出され、サブ制御モジュール４は録画予約モードの終了をメイン制御モジュール５へ通知し、メイン制御モジュール５の記録処理モジュール５１は録画予約モードを終了し、さらに、電源制御モジュール４３が電源部６に対して電源オフを通知し、電源部６は電源をオフする。
【００２２】
設定キー１３は、上下方向キー、左右方向キー、決定キー等により構成されており、録画予約情報の設定等に利用される。設定キー１３（上下方向キー、左右方向キー、決定キー）が押下されると、設定キー１３の押下がサブ制御モジュール４の本体キー入力検出モジュール４１により検出され、サブ制御モジュール４は設定キー１３の押下に対応した指示をメイン制御モジュール５へ通知する。
【００２３】
取出しキー１４は、光ディスクドライブ９の光ディスクトレイの出し入れを指示するためのキーである。取出しキー１４の押下に対応して、光ディスクトレイが排出されたり、取り込まれたりする。取出しキー１４の押下に対応した信号処理の詳細については上記と同様であり、ここではその詳細説明は省略する。
【００２４】
上記した本体キー入力部１の他に、ユーザは、リモートコントローラ２に対する入力操作により、映像記録再生装置１００の動作を制御することもできる。
【００２５】
映像、音声処理モジュール５２は、例えば早戻しの指示に基づき再生中の番組の早戻しを制御し、再生指示に基づき選択した番組の再生を制御し、早送りの指示に基づき再生中の番組の早送りを制御し、停止指示に基づき番組の再生の停止を制御し、一時停止指示に基づき番組の再生の一時停止を制御する。記録処理モジュール５１は、録画の指示に基づき選局中の番組の録画を制御する。
【００２６】
また、映像、音声処理モジュール５２は、チューナー部８を介して入力される放送信号に含まれる電子番組ガイドを取得することができ、取得した電子番組ガイドに基づき番組ガイドを表示するための番組ガイド表示情報を生成することができる。映像、音声入出力制御モジュール５３は、番組ガイド表示情報をモニター２００へ出力することができ、これにより、モニター２００は番組ガイド表示情報に基づき番組ガイドを表示することができる。モニター２００で表示される番組ガイドは、各チャンネルの各番組の放送スケジュールを含み、ユーザは、リモートコントローラ２等を利用し、放送スケジュールの中から録画したい番組（録画したい番組の欄）を選択するだけで、録画予約を設定することができる。録画予約の設定は、記録処理モジュール５１により管理される。
【００２７】
次に、図３を参照して、本体表示部３について説明する。図３に示すように本体表示部３は、第１の表示エリア３１及び第２の表示エリア３２を備えている。本体表示部３は、例えば液晶表示部又はＬＥＤ表示部である。第１の表示エリア３１は、例えば、録画予約情報に含まれる曜日、放送種別（地上デジタル放送／ＢＳ放送／ＣＳ放送）、チャンネル番号、日時（録画日及び録画開始時刻など）、カレントエンコーダを表示する。例えば、記録処理モジュール５１が第１、第２のエンコードを備えている場合であって、第１のエンコーダが選択されていればカレントエンコーダとして第１のエンコーダの選択が表示され、第２のエンコーダが選択されていればカレントエンコーダとして第２のエンコーダの選択が表示される。
【００２８】
第２の表示エリア３２は、例えば１行文字列表示エリア（１行キャラクタ表示エリア）であり、チャンネル番号に対応した放送局名（第１の情報）、及び番組名（第２の情報）を表示する。或いは、第２の表示エリア３２は、チャンネル番号に対応した放送局名、番組名、及び番組内容（第３の情報）を表示する。なお、本体表示部３は、映像記録再生装置１００の筐体の前面の一部に配置されるため、表示エリアは比較的狭い。そのため、第２の表示エリア３２の表示エリアも比較的狭く、第２の表示エリア３２は、第１の情報及び第２の情報の全てを同時に表示できない場合がある。或いは、第２の表示エリア３２は、第１の情報、第２の情報、及び第３の情報の全てを同時に表示できない場合がある。
【００２９】
以下、複数の情報を比較的小さい表示エリアで分かり易く表示する表示制御の第１例について説明する。
【００３０】
例えば、第２の表示エリア３２は、ａ１個（ａ１：整数、１≦ａ１）のキャラクター（文字列）を同時に表示可能な第１の表示ウィンドウと、ｂ１個（ｂ１：整数、１≦ｂ１）のキャラクター（文字列）を同時に表示可能な第２の表示ウィンドウとを含む。また、これら第１の表示ウィンドウと第２のウィンドウとは連続配置されている。言い換えると、第２の表示エリア３２は、第１の表示ウィンドウと第２のウィンドウの連続配置により形成された連続表示ウィンドウを含む。
【００３１】
より分かり易くするために、例えば、連続表示ウィンドウが同時に１２文字まで表示可能で、第１の表示ウィンドウが同時に６文字まで表示可能で、第２の表示ウィンドウが同時に６文字まで表示可能であるとする。
【００３２】
例えば、第１の表示ウィンドウは放送局名を表示し、第２の表示ウィンドウは番組名を表示することができる。なお、第１の表示ウィンドウで放送局名を表示し、第２の表示ウィンドウで番組名を表示する場合には、例えば第２のウィンドウの先頭の１文字分には文字を表示せず、放送局名と番組名とを区別できるようにする。図４を参照し、以下の放送局名と番組名の表示について説明する。
【００３３】
放送局名：「テレビＡＢＣ」
番組名：「チャンピオンズ〜達人の技がみんなを救う」
上記したように、連続表示ウィンドウは、最大１２文字しか同時に表示できないし、第１の表示ウィンドウは６文字しか同時に表示できないし、第２の表示ウィンドウは５文字（最大６文字）しか同時に表示できない。
【００３４】
そこで、例えば、表示制御モジュール４４の制御により、第２の表示エリア３２（連続表示ウィンドウ）は、以下のように放送局名と番組名を表示する（図４のＳＴ１０１）。
【００３５】
［テレビＡＢＣ  チャンピ…］
上記表示中の番組名の文字列の最後の“…”表示は、続きの文字があることを意味する。この場合、放送局名は全て表示できるが、番組名は全て表示できない。即ち、番組名は一部しか表示できない。そのため、ある一定期間、以下を表示する。
【００３６】
［テレビＡＢＣ  チャンピ…］
続いて、表示制御モジュール４４の制御により、連続表示ウィンドウは、以下のように１２文字分の番組名を表示する（図４のＳＴ１０２）。
【００３７】
［チャンピオンズ〜達人の技］
上記表示でも、まだ番組名が全て表示できないため、表示制御モジュール４４の制御により、連続表示ウィンドウは、番組名をスクロール表示する（図４のＳＴ１０３〜ＳＴ１０７）。
【００３８】
連続表示ウィンドウが、上記スクロール表示により番組名の全体を表示し終えたら、最初の表示状態に戻る。つまり、表示制御モジュール４４の制御により、連続表示ウィンドウは、最初の表示状態を表示する（図４のＳＴ１０８）。これにより、放送局名及び番組名の最初の文字列を常時確認することができる。
【００３９】
上記説明では、第１の表示ウィンドウが放送局名の全部を同時に表示でき、第２の表示ウィンドウが番組名の全部を同時に表示できないケースについて説明した。これに対して、第１の表示ウィンドウが放送局名の全部を同時に表示できず、第２の表示ウィンドウも番組名の全部を同時に表示できないケースについて説明する。
【００４０】
最初に、表示制御モジュール４４の制御により、第１の表示ウィンドウが、放送局名の一部を表示し、同時に第２の表示ウィンドウが、番組名の一部を表示する。続いて、連続表示ウィンドウが、放送局名をスクロール表示し、続いて、番組名をスクロール表示する。そして、再び、第１の表示ウィンドウが、放送局名の一部を表示し、同時に第２の表示ウィンドウが、番組名の一部を表示する。これにより、放送局名及び番組名の最初の文字列を常時確認することができる。
【００４１】
次に、複数の情報を比較的小さい表示エリアで分かり易く表示する表示制御の第２例について説明する。
【００４２】
第２の表示エリア３２は、ａ１個（ａ１：整数、１≦ａ１）のキャラクター（文字列）を同時に表示可能な第１の表示ウィンドウと、ｂ１個（ｂ１：整数、１≦ｂ１）のキャラクター（文字列）を同時に表示可能な第２の表示ウィンドウと、ｃ１個（ｃ１：整数、１≦ｃ１）のキャラクター（文字列）を同時に表示可能な第３の表示ウィンドウとを含む。また、これら第１の表示ウィンドウと第２のウィンドウと第３のウィンドウは連続配置されている。言い換えると、第２の表示エリア３２は、第１の表示ウィンドウと第２のウィンドウと第３のウィンドウの連続配置により形成された連続表示ウィンドウを含む。
【００４３】
より分かり易くするために、例えば、連続表示ウィンドウが同時に２０文字まで表示可能で、第１の表示ウィンドウが同時に６文字まで表示可能で、第２の表示ウィンドウが同時に７文字まで表示可能で、第３の表示ウィンドウが同時に７文字まで表示可能であるとする。
【００４４】
例えば、第１の表示ウィンドウは放送局名を表示し、第２の表示ウィンドウは番組名を表示し、第３の表示ウィンドウは番組内容を表示することができる。なお、第１の表示ウィンドウで放送局名を表示し、第２の表示ウィンドウで番組名を表示し、第３の表示ウィンドウで番組内容を表示する場合には、例えば第２のウィンドウの先頭の１文字分には文字を表示せず、第３のウィンドウの先頭の１文字分にも文字を表示せず、放送局名と番組名と番組内容とを区別できるようにする。図５を参照し、以下の放送局名と番組名と番組内容の表示について説明する。
【００４５】
放送局名：「テレビＡＢＣ」
番組名：「ＳＬ図鑑国内編」
番組内容：「単なる交通手段を超えて人々を魅了するＳＬの魅力を伝える図鑑。」
上記したように、連続表示ウィンドウは、最大２０文字しか同時に表示できないし、第１の表示ウィンドウは６文字しか同時に表示できないし、第２の表示ウィンドウも６文字（最大７文字）しか同時に表示できないし、第３の表示ウィンドウも６文字（最大７文字）しか同時に表示できない。
【００４６】
そこで、例えば、表示制御モジュール４４の制御により、第２の表示エリア３２（連続表示ウィンドウ）は、以下のように放送局名と番組名と番組内容を表示する（図５のＳＴ２０１）。
【００４７】
［テレビＡＢＣ  ＳＬ図鑑国…  単なる交通…］
上記表示中の番組名と番組内容の文字列の最後の“…”表示は、続きの文字があることを意味する。この場合、放送局名は全て表示できるが、番組名と番組内容は全て表示できない。即ち、番組名と番組内容は一部しか表示できない。そのため、ある一定期間、以下を表示する。
【００４８】
［テレビＡＢＣ  ＳＬ図鑑国…  単なる交通…］
続いて、表示制御モジュール４４の制御により、連続表示ウィンドウは、以下のように２０文字分の一部を使用して番組名を表示する（図５のＳＴ２０２）。
【００４９】
［ＳＬ図鑑国内編                          ］
上記表示で番組名は全て表示できる。上記表示を一定時間表示した後、表示制御モジュール４４の制御により、連続表示ウィンドウは、以下のように２０文字分の番組内容を表示する（図５のＳＴ２０３）。
【００５０】
［単なる交通手段を超えて人々を魅了するＳＬ］
上記表示でも、まだ番組内容が全て表示できないため、表示制御モジュール４４の制御により、連続表示ウィンドウは、番組内容をスクロール表示する（図５のＳＴ２０４〜ＳＴ２０８）。
【００５１】
連続表示ウィンドウが、上記スクロール表示により番組内容の全体を表示し終えたら、最初の表示状態に戻る。つまり、表示制御モジュール４４の制御により、連続表示ウィンドウは、最初の表示状態を表示する（図５のＳＴ２０９）。これにより、放送局名、番組名、及び番組内容の最初の文字列を常時確認することができる。
【００５２】
次に、複数の情報を比較的小さい表示エリアで分かり易く表示する表示制御の第３例について説明する。
【００５３】
第２の表示エリア３２は、ａ１個（ａ１：整数、１≦ａ１）のキャラクター（文字列）を同時に表示可能な第１の表示ウィンドウと、ｂ１個（ｂ１：整数、１≦ｂ１）のキャラクター（文字列）を同時に表示可能な第２の表示ウィンドウと、ｃ１個（ｃ１：整数、１≦ｃ１）のキャラクター（文字列）を同時に表示可能な第３の表示ウィンドウとを含む。また、これら第１の表示ウィンドウと第２のウィンドウと第３のウィンドウは連続配置されている。言い換えると、第２の表示エリア３２は、第１の表示ウィンドウと第２のウィンドウと第３のウィンドウの連続配置により形成された連続表示ウィンドウを含む。
【００５４】
より分かり易くするために、例えば、連続表示ウィンドウが同時に２０文字まで表示可能で、第１の表示ウィンドウが同時に６文字まで表示可能で、第２の表示ウィンドウが同時に７文字まで表示可能で、第３の表示ウィンドウが同時に７文字まで表示可能であるとする。
【００５５】
例えば、第１の表示ウィンドウは放送局名を表示し、第２の表示ウィンドウは番組名を表示し、第３の表示ウィンドウは番組内容を表示することができる。なお、第１の表示ウィンドウで放送局名を表示し、第２の表示ウィンドウで番組名を表示し、第３の表示ウィンドウで番組内容を表示する場合には、例えば第２のウィンドウの先頭の１文字分には文字を表示せず、第３のウィンドウの先頭の１文字分にも文字を表示せず、放送局名と番組名と番組内容とを区別できるようにする。図６を参照し、以下の放送局名と番組名と番組内容の表示について説明する。
【００５６】
放送局名：「テレビＤＥＦＧ」
番組名：「ＳＬ図鑑海外編」
番組内容：「世界各地で活躍するＳＬの姿、市民の願いで復活した物語などを伝える」
上記したように、連続表示ウィンドウは、最大２０文字しか同時に表示できないし、第１の表示ウィンドウは６文字しか同時に表示できないし、第２の表示ウィンドウも６文字（最大７文字）しか同時に表示できないし、第３の表示ウィンドウも６文字（最大７文字）しか同時に表示できない。
【００５７】
そこで、例えば、表示制御モジュール４４の制御により、第２の表示エリア３２（連続表示ウィンドウ）は、以下のように放送局名と番組名と番組内容を表示する（図６のＳＴ３０１）。
【００５８】
［テレビＤＥ…  ＳＬ図鑑海…  世界各地で…］
上記表示中の放送局名と番組名と番組内容の文字列の最後の“…”表示は、続きの文字があることを意味する。この場合、放送局名と番組名と番組内容は全て表示できない。即ち、放送局名と番組名と番組内容は一部しか表示できない。そのため、ある一定期間、以下を表示する。
【００５９】
［テレビＤＥ…  ＳＬ図鑑外…  世界各地で…］
続いて、表示制御モジュール４４の制御により、連続表示ウィンドウは、以下のように２０文字分の一部を使用して放送局名を表示する（図６のＳＴ３０２）。
【００６０】
［テレビＤＥＦＧ                          ］
上記表示で放送局名は全て表示できる。上記表示を一定時間表示した後、表示制御モジュール４４の制御により、連続表示ウィンドウは、以下のように２０文字分の番組名を表示する（図６のＳＴ３０３）。
【００６１】
［ＳＬ図鑑海外編                          ］
上記表示で番組名は全て表示できる。上記表示を一定時間表示した後、表示制御モジュール４４の制御により、連続表示ウィンドウは、以下のように２０文字分の番組内容を表示する（図６のＳＴ３０４）。
【００６２】
［世界各地で活躍するＳＬの姿、市民の願いで］
上記表示でも、まだ番組内容が全て表示できないため、表示制御モジュール４４の制御により、連続表示ウィンドウは、番組内容をスクロール表示する（図６のＳＴ３０５〜ＳＴ３０９）。
【００６３】
連続表示ウィンドウが、上記スクロール表示により番組内容の全体を表示し終えたら、最初の表示状態に戻る。つまり、表示制御モジュール４４の制御により、連続表示ウィンドウは、最初の表示状態を表示する（図６のＳＴ３１０）。これにより、放送局名、番組名、及び番組内容の最初の文字列を常時確認することができる。
【００６４】
次に図７に示すフローチャートを参照して、表示制御モジュール４４による上記した表示制御についてまとめる。
【００６５】
最初に、表示制御モジュール４４の制御により、ｍ個のウィンドウが、一定時間、ｍ個の情報の全部又は一部を表示する（ＳＴ４０１）。表示制御モジュール４４が初期値ｎ=１を設定し（ＳＴ４０２）、ｎ個目のウィンドウが第ｎの情報の全部を表示できているか確認する（ＳＴ４０３）。ｎ個目のウィンドウが第ｎの情報の全部を表示できていなければ（ＳＴ４０３、ＮＯ）、表示制御モジュール４４の制御により、連続表示ウィンドウが、第ｎの情報を表示する（ＳＴ４０４）。連続表示ウィンドウが、第ｎの情報の全部を表示できれば（ＳＴ４０５、ＹＥＳ）、第ｎの情報を一定時間表示する（ＳＴ４０７）。連続表示ウィンドウが、第ｎの情報の全部を表示できない場合には（ＳＴ４０５、ＮＯ）、連続表示ウィンドウが、第ｎの情報をスクロール表示する（ＳＴ４０６）。
【００６６】
次に、表示制御モジュール４４がｎ＝ｍになるまで、ｎの値をインクリメントする（ＳＴ４０８）（ＳＴ４０９）。これにより、ｎ＋１個目のウィンドウが第ｎ＋１の情報の全部を表示できていなければ（ＳＴ４０３、ＮＯ）、表示制御モジュール４４の制御により、連続表示ウィンドウが、第ｎ＋１の情報を表示する（ＳＴ４０４）。連続表示ウィンドウが、第ｎ＋１の情報の全部を表示できれば（ＳＴ４０５、ＹＥＳ）、第ｎ＋１の情報を一定時間表示する（ＳＴ４０７）。連続表示ウィンドウが、第ｎ＋１の情報の全部を表示できない場合には（ＳＴ４０５、ＮＯ）、連続表示ウィンドウが、第ｎ＋１の情報をスクロール表示する（ＳＴ４０６）。
【００６７】
ｎ＝ｍになると（ＳＴ４０８、ＹＥＳ）、再び、表示制御モジュール４４の制御により、ｍ個のウィンドウが、一定時間、ｍ個の情報の全部又は一部を表示する（ＳＴ４１０）。
【００６８】
図８は、表示時間設定の一例を示す図である。例えば、本体キー入力部１を介して設定メニューの表示が指示されると、モニター２００には、図８に示すような設定メニュー画面が表示される。設定メニュー画面を介して、第１の表示ウィンドウ、第２の表示ウィンドウ、第３の表示ウィンドウ、及び連続表示ウィンドウによる一定表示時間を設定することができる。例えば、一定表示時間を、１秒、２秒、３秒、５秒の中から選択することができる。
【００６９】
次に、図９を参照し、表示制御モジュール４４の概略構成を説明する。図９に示すように、表示制御モジュール４４は、表示時間設定モジュール４４ａ、表示時間判定モジュール４４ｂ、カウンターモジュール４４ｃ、表示情報取得モジュール４４ｄ、文字列単位判定モジュール４４ｅ、文字列単位長判定モジュール４４ｆ、文字列単位割当モジュール４４ｇ、文字列単位表示切替モジュール４４ｈ、文字列単位スクロールモジュール４４ｉ、ウィンドウ設定モジュール４４ｊ、表示処理モジュール４４ｋを備えている。
【００７０】
表示時間設定モジュール４４ａは、設定メニュー画面を介して設定された表示時間設定を記憶する。表示時間判定モジュール４４ｂは、カウンターモジュール４４ｃからのカウント値に基づき、設定された表示時間設定に達したか否かを判定する。
【００７１】
表示情報取得モジュール４４ｄは、本体表示部３に表示すべき表示情報を取得する。文字列単位判定モジュール４４ｅは、取得した表示情報に含まれる文字列単位を判定する。例えば、文字列単位判定モジュール４４ｅは、取得した表示情報に含まれる放送局名、番組名、及び番組内容などを判定する。ウィンドウ設定部４４ｉは、文字列単位の判定結果に基づき、第２の表示エリア３２に対して複数のウィンドウを設定する。例えば、ウィンドウ設定部４４ｉは、放送局名、番組名、及び番組内容を表示するために、第１、第２、第３のウィンドウを設定する。文字列単位長判定モジュール４４ｆは、文字列単位の長さを判定する。例えば、文字列単位長判定モジュール４４ｆは、放送局名の文字数、番組名の文字数、番組内容の文字数などを判定する。
【００７２】
文字列単位割当モジュール４４ｇは、ウィンドウ設定部４４ｉにより設定された各ウィンドウに対して各文字列を割り当てる。例えば、文字列単位割当モジュール４４ｇは、第１のウィンドウに対して放送局名を割り当て、第２のウィンドウに対して番組名を割り当て、第３のウィンドウに対して番組内容を割り当てる。表示処理モジュール４４ｋは、割り当てに基づき各ウィンドウに対して各文字列の表示を制御する。例えば、表示処理モジュール４４ｋは、第１のウィンドウに対して放送局名の表示を制御し、第２のウィンドウに対して番組名の表示を制御し、第３のウィンドウに対して番組内容の表示を制御する。
【００７３】
文字列単位表示切替モジュール４４ｈは、設定された表示時間設定に達した場合に、文字列単位の表示の切り替えを制御する。これにより、図４、図５、図６を参照して説明したように、表示が切り替わる。文字列単位スクロールモジュール４４ｉは、図４、図５、図６を参照して説明したように、スクロール表示が必要な場合に、文字列をスクロール表示する。
【００７４】
上記した表示制御モジュールの表示制御により、複数の情報の存在を示すとともに、各情報の詳細を比較的狭い表示エリアで表示することができる。
【００７５】
なお、上記したモジュールとは、ハードウェアで実現するものであっても良いし、ＣＰＵ等を使ってソフトウェアで実現するものであってもよい。
【００７６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７７】
１…本体キー入力部、２…リモートコントローラ、３…本体表示部、４…サブ制御モジュール、５…メイン制御モジュール、６…電源部、７…データ蓄積部、８…チューナー部、９…光ディスクドライブ、１０…ＨＤＤ（ハードディスクドライブ）、４４…表示制御モジュール、４４ａ…表示時間設定モジュール、４４ｂ…表示時間判定モジュール、４４ｃ…カウンターモジュール、４４ｄ…表示情報取得モジュール、４４ｅ…文字列単位判定モジュール、４４ｆ…文字列単位長判定モジュール、４４ｇ…文字列単位割当モジュール、４４ｈ…文字列単位表示切替モジュール、４４ｉ…文字列単位スクロールモジュール、４４ｊ…ウィンドウ設定モジュール、４４ｋ…表示処理モジュール
【図１】
2010186139.tif 000003
【図２】
2010186139.tif 000004
【図３】
2010186139.tif 000005
【図４】
2010186139.tif 000006
【図５】
2010186139.tif 000007
【図６】
2010186139.tif 000008
【図７】
2010186139.tif 000009
【図８】
2010186139.tif 000010
【図９】
2010186139.tif 000011